(57)【特許請求の範囲】
【請求項１】
少なくとも２以上の居室に分配設置された複数系統の暖房端末が共通の熱源機に接続された暖房システムの制御装置であって、各系統の運転開始初期は前記熱源機から比較的高温の熱媒を供給するホットダッシュ運転制御を行い、その後熱源機から比較的低温の熱媒を間欠的に供給する通常運転制御を行うように各系統毎に暖房運転制御可能に構成された制御装置において、
各系統の暖房端末の運転開始初期のホットダッシュ運転制御の制御内容として、所定の単独運転制御内容及び該単独運転制御内容とは異なる所定の連係運転制御内容のいずれかを所定の条件に基づき自動選択する制御内容選択手段と、
各系統の暖房端末が他の系統の暖房端末と同一の居室に設置されているか否かを予め設定する同一居室設定手段と、
各系統毎に前記ホットダッシュ運転制御を有効にするか無効にするかを予め設定するホットダッシュ設定手段と、
前記熱源機から供給される熱媒が比較的高温か比較的低温かを判定する熱媒温度判定手段と、
各系統の通常運転制御中に前記熱媒温度判定手段の判定結果に基づいて熱源機からの間欠的な熱媒供給のデューティー比を変更する温度調整制御手段とを備え、
同一居室設定手段により同一の居室に他の系統の暖房端末が設置されていると設定されている場合にのみ前記連係運転制御内容が選択されるように制御内容選択手段が構成されているとともに、ホットダッシュ設定手段により無効に設定された系統の暖房端末の運転開始時にはホットダッシュ運転制御を行うことなく通常運転制御を開始するように構成されていることを特徴とする暖房システムの制御装置。
【請求項２】
少なくとも２以上の居室に分配設置された複数系統の暖房端末が共通の熱源機に接続された暖房システムの制御装置であって、各系統の運転開始初期はホットダッシュ運転制御を行いその後通常運転制御するように各系統毎に暖房運転制御可能に構成された制御装置において、
各系統の暖房端末の運転開始初期のホットダッシュ運転制御の制御内容として、所定の単独運転制御内容及び該単独運転制御内容とは異なる所定の連係運転制御内容のいずれかを所定の条件に基づき自動選択する制御内容選択手段と、
各系統の暖房端末が他の系統の暖房端末と同一の居室に設置されているか否かを予め設定する同一居室設定手段と、
各系統毎に前記ホットダッシュ運転制御を有効にするか無効にするかを予め設定するホットダッシュ設定手段とを備え、
同一居室設定手段により同一の居室に他の系統の暖房端末が設置されていると設定されている場合にのみ前記連係運転制御内容が選択されるように制御内容選択手段が構成されているとともに、ホットダッシュ設定手段により無効に設定された系統の暖房端末の運転開始時にはホットダッシュ運転制御を行うことなく通常運転制御を開始するように構成されていることを特徴とする暖房システムの制御装置。
【請求項３】
請求項１又は２に記載の制御装置において、設定された所定の時に所定の複数系統の暖房端末の暖房運転制御を開始させる共通の予約運転制御手段を備えていることを特徴とする暖房システムの制御装置。
【発明の詳細な説明】
【技術分野】
【０００１】
本発明は、床暖房リモコンなどの暖房システムの制御装置に関する。
【背景技術】
【０００２】
従来の床暖房システムとして、下記特許文献１〜４に開示されたものが知られている。
【先行技術文献】
【特許文献】
【０００３】
【特許文献１】特許第３６３６２４９号公報
【特許文献２】特許第４０３０７０９号公報
【特許文献３】特開２００２−１３９２２６号公報
【特許文献４】特許第４１５７０７４号公報
【特許文献５】特開２００１−４１５８号公報
【０００４】
特許文献１〜３は、複数系統の床暖房端末を備える床暖房システムを操作するためのリモコンが開示されたものである。
【０００５】
上記特許文献１記載の床暖房システムでは、複数の居室（１〜Ｎ）毎に１系統の床暖房パネル（暖房端末）と遠隔制御装置（リモコン）とを設け、これら複数の床暖房パネルを１つの熱源機に接続し、各遠隔制御装置の制御部から熱源機に高温又は低温の温水供給を要求するように構成して、高温要求と低温要求が競合した場合に、熱源機から出力される温水の温度を予め定めた温度に設定するように構成している。
【０００６】
また、特許文献２記載の床暖房システムは、１つの居室の床に配設された複数系統の温水マット（暖房端末）を制御する床暖房コントローラ（リモコン）を備えるものであり、該コントローラは、複数系統の全てを運転する場合には室内温度の設定温度と実測温度との差に基づいて床を暖める室温制御を行い、複数系統の一部を運転する場合には設定温度に基づいて床を暖める固定制御を行うものである。
【０００７】
また、特許文献３記載の床暖房器は、複数の床暖房ユニット（暖房端末）を用いて一つの居室を複数の暖房エリアに区分して暖房するものであって、各床暖房ユニットを独立して運転制御する暖房制御手段と、該暖房制御手段を遠隔制御するリモコンとを備えている。
【０００８】
特許文献４又は５は、運転開始直後に通常運転時より高温の熱媒を供給するホットダッシュ運転制御が行われる床暖房システムが開示されている。
【発明の概要】
【発明が解決しようとする課題】
【０００９】
上記各特許文献１〜３に開示されたリモコンは、複数の暖房端末が特定の配置である場合の専用装置として構成されており、例えば、特許文献１記載のリモコンを一つの居室に設けられた複数系統の暖房端末の制御に用いることはできないし、また、特許文献２又は３に記載のリモコンは、複数の居室に分配設置された複数系統の暖房端末の制御を行うように設計されていない。
【００１０】
一方、近年の新築住宅は施主の要望に合わせた居室割りで設計されることも多く、各居室の広さや居室数などが多様化し、これに伴い床暖房システムにも多様性が求められているとともに、増改築の際にも施主の要望に合わせた柔軟な床暖房システムの構成が求められている。さらに、居間などの広い居室には複数系統の床暖房端末を設置することにより生活スタイルに応じて居間の一部のスペースのみを暖房したり全体を暖房したりすることができるようにするとともに、居間とは空間的に区切られた別の居室にも床暖房端末を設置し、これら複数の居室に分配設置された複数系統の床暖房端末を一つのリモコンで操作したいという要望がある。
【００１１】
ところで、近年の床暖房システムには特許文献４又は５に開示されているようなホットダッシュ制御をリモコンにより行うものが一般的であるが、例えば居間に複数系統の床暖房端末を設置している場合、その一部の系統のみを最初に運転してある程度時間が経過した後に他の系統の床暖房端末の運転を開始すると、既にある程度室温が上がっているため、他の系統の床暖房端末のホットダッシュ運転を一番目に運転していた床暖房端末のホットダッシュ運転と同じ時間継続させると、床面が暖まりすぎてしまい、使用者に不快感を与えることが懸念されるとともに、必要以上に高温水を供給することとなるためランニングコストも高くなるという問題がある。
【００１２】
そのため、複数系統の床暖房端末を連係させ、一の床暖房端末が既に運転しているなどの場合には他の床暖房端末を運転開始する際のホットダッシュ運転時間を通常よりも短縮する制御を行うことが好ましいが、その一方、さらに別の床暖房端末が別の居室に設置される場合にはその運転開始時にはホットダッシュ運転時間を短縮させたくない場合もある。
【００１３】
そこで本発明は、複数系統の暖房端末を複数の居室に分配設置しホットダッシュ運転制御などの暖房運転制御を各系統毎に行う暖房システムを一つの制御装置で制御可能にするとともに、ユーザーの要望により各系統間を連係させたり単独運転させたりすることを可能にすることを目的とする。
【課題を解決するための手段】
【００１４】
上記目的を達成するために、本発明は、次の技術的手段を講じた。
【００１５】
すなわち、本発明は、少なくとも２以上の居室に分配設置された複数系統の暖房端末が共通の熱源機に接続された暖房システムの制御装置であって、各系統の運転開始初期は前記熱源機から比較的高温の熱媒を供給するホットダッシュ運転制御を行い、その後熱源機から比較的低温の熱媒を間欠的に供給する通常運転制御を行うように各系統毎に暖房運転制御可能に構成された制御装置において、各系統の暖房端末の運転開始初期のホットダッシュ運転制御の制御内容として、所定の単独運転制御内容及び該単独運転制御内容とは異なる所定の連係運転制御内容のいずれかを所定の条件に基づき自動選択する制御内容選択手段と、各系統の暖房端末が他の系統の暖房端末と同一の居室に設置されているか否かを予め設定する同一居室設定手段と、各系統毎に前記ホットダッシュ運転制御を有効にするか無効にするかを予め設定するホットダッシュ設定手段と、前記熱源機から供給される熱媒が比較的高温か比較的低温かを判定する熱媒温度判定手段と、各系統の通常運転制御中に前記熱媒温度判定手段の判定結果に基づいて熱源機からの間欠的な熱媒供給のデューティー比を変更する温度調整制御手段とを備え、同一居室設定手段により同一の居室に他の系統の暖房端末が設置されていると設定されている場合にのみ前記連係運転制御内容が選択されるように制御内容選択手段が構成されているとともに、ホットダッシュ設定手段により無効に設定された系統の暖房端末の運転開始時にはホットダッシュ運転制御を行うことなく通常運転制御を開始するように構成されていることを特徴とするものである（請求項１）。
【００１６】
かかる本発明の暖房システムの制御装置の具体例は、熱源機に内蔵された給湯制御装置などの熱源機コントローラに対して各種制御指令を送出するリモコンであり、該リモコン（暖房制御装置）がユーザーに対する入出力と暖房に関する高レベルな制御とを行い、熱源機コントローラが熱動弁や燃焼機器などの各制御機器に対する低レベルな制御を行うように構成できる。
【００１７】
単独運転制御内容と連係運転制御内容の具体的内容はどのようなものであってもよく、これらの名称は本発明を後述する実施形態に限定するものではなく、各系統の暖房端末を単独運転する場合の制御内容と、各系統の暖房端末を他の系統の暖房端末と何らかの（所定の）連係を行いつつ運転する場合の制御内容であればよい。例えば、単独運転制御内容は、ホットダッシュ運転時間を比較的長時間（例えば６０分）とするものとし、連係運転制御内容は、他のいずれかの系統の暖房端末が通常運転中であることを上記の「所定の条件」として、ホットダッシュ運転時間を比較的短時間（例えば３０分）とするものとすることができる。
【００１８】
また、上記の各手段は、好適には記憶手段に記憶されたプログラムを実行するＣＰＵによって実現することが可能であるが、専用の電子回路によって構成されていても良いし、また、ホットダッシュ設定手段や同一居室設定手段はディップスイッチなどのスイッチによって構成することもできる。また、複数系統の暖房端末が設置される居室は居間のみであることが多いので、同一居室設定手段は、複数の居室のうちの特定の一の居室（例えば居間）に設置されているか否かを設定するものであってもよく、また、各系統の暖房端末毎にどの居室に設置されているかを設定するものであってもよい。また、暖房端末としては、床暖房端末や壁暖房端末などの低温暖房端末を好適に用いることができる。
【００１９】
上記本発明の暖房システムの制御装置によれば、同一居室設定手段を設けたので、複数の暖房端末の施工時に各系統の暖房端末を他のいずれかの系統の暖房端末と連係させた運転を行わせるか連係させずに単独で運転を行わせるかの設定をすることができ、単一の制御装置で、ユーザーの要望に合わせた多様な制御を行わせることができる。また、ある一の系統の暖房端末を運転開始する際、同一居室設定手段により同一の居室に他の系統の暖房端末が設置されていると設定されている場合にのみ制御内容選択手段によって一の系統の暖房端末のホットダッシュ運転制御の制御内容が連係運転制御内容に設定されるように構成されているので、例えば異なる部屋に設置された他の系統の暖房端末が通常運転制御中であることによって、一の系統の暖房端末のホットダッシュ運転制御の制御内容を連係運転制御内容とするための上記の「所定の条件」が満たされてしまう場合であっても、同一居室設定手段の設定に応じて「所定の条件」の判断をパスして強制的に通常のホットダッシュ運転制御を行わせることができる。また、同一居室設定手段により同一居室であると設定された他の暖房端末の運転状態が所定の状態であるか否かを「所定の条件」とすることも可能となる。また、同一居室内の複数系統の暖房端末が同時運転される場合には、後から運転開始される系統の暖房端末の運転開始時のホットダッシュ運転制御として連係運転制御内容を選択することにより、過加熱を防止して、低温やけどの発生を防止するとともに、ランニングコストを抑えることができる。
【００２０】
さらに、ホットダッシュ設定手段を設けたので、比較的狭い部屋に暖房端末が設置されている場合や、暖房端末の上層に設置される床材の材質等によってそもそもホットダッシュ運転を行う必要がない系統については、ホットダッシュ運転制御を無効にすることができ、様々な要望に柔軟に対応できるようになる。
【００２１】
また、温度調整手段を設けたので、ある一の系統が通常運転中に、他の系統がホットダッシュ運転されることによって熱源機から一の系統の暖房端末に供給される熱媒温度が高温になったとしても、間欠的な熱媒供給タイミングを調整することによって一の系統の暖房端末を適切な温度に維持することができる。
【００２４】
また、本発明は、少なくとも２以上の居室に分配設置された複数系統の暖房端末が共通の熱源機に接続された暖房システムの制御装置であって、各系統の運転開始初期はホットダッシュ運転制御を行いその後通常運転制御するように各系統毎に暖房運転制御可能に構成された制御装置において、各系統の暖房端末の運転開始初期のホットダッシュ運転制御の制御内容として、所定の単独運転制御内容及び該単独運転制御内容とは異なる所定の連係運転制御内容のいずれかを所定の条件に基づき自動選択する制御内容選択手段と、各系統の暖房端末が他の系統の暖房端末と同一の居室に設置されているか否かを予め設定する同一居室設定手段と、各系統毎に前記ホットダッシュ運転制御を有効にするか無効にするかを予め設定するホットダッシュ設定手段とを備え、同一居室設定手段により同一の居室に他の系統の暖房端末が設置されていると設定されている場合にのみ前記連係運転制御内容が選択されるように制御内容選択手段が構成されているとともに、ホットダッシュ設定手段により無効に設定された系統の暖房端末の運転開始時にはホットダッシュ運転制御を行うことなく通常運転制御を開始するように構成されていることを特徴とするものである（請求項２）。
【００２５】
かかる本発明によれば、同一居室設定手段を設けたので、複数の暖房端末の施工時に各系統の暖房端末を他のいずれかの系統の暖房端末と連係させた運転を行わせるか連係させずに単独で運転を行わせるかの設定をすることができ、単一の制御装置で、ユーザーの要望に合わせた多様な制御を行わせることができる。また、ある一の系統の暖房端末を運転開始する際、同一居室設定手段により同一の居室に他の系統の暖房端末が設置されていると設定されている場合にのみ制御内容選択手段によって一の系統の暖房端末のホットダッシュ運転制御の制御内容が連係運転制御内容に設定されるように構成されているので、例えば異なる部屋に設置された他の系統の暖房端末が通常運転制御中であることによって、一の系統の暖房端末のホットダッシュ運転制御の制御内容を連係運転制御内容とするための上記の「所定の条件」が満たされてしまう場合であっても、同一居室設定手段の設定に応じて「所定の条件」の判断をパスして強制的に通常のホットダッシュ運転制御を行わせることができる。また、同一居室設定手段により同一居室であると設定された他の暖房端末の運転状態が所定の状態であるか否かを「所定の条件」とすることも可能となる。また、同一居室内の複数系統の暖房端末が同時運転される場合には、後から運転開始される系統の暖房端末の運転開始時のホットダッシュ運転制御として連係運転制御内容を選択することにより、過加熱を防止して、低温やけどの発生を防止するとともに、ランニングコストを抑えることができる。さらに、ホットダッシュ設定手段を設けたので、比較的狭い部屋に暖房端末が設置されている場合や、暖房端末の上層に設置される床材の材質等によってそもそもホットダッシュ運転を行う必要がない系統については、ホットダッシュ運転制御を無効にすることができ、様々な要望に柔軟に対応できるようになる。
【００２６】
上記した本発明の制御装置において、設定された所定の時に所定の複数系統の暖房端末の暖房運転制御を開始させる共通の予約運転制御手段を備えることができる（請求項３）。これによれば、一回の予約設定で、予め設定した複数系統の暖房端末の予約運転を行わせることができ、より一層ユーザーの利便性を向上できる。
【発明の効果】
【００２７】
以上説明したように、本発明の請求項１に係る暖房システムの制御装置によれば、同一居室設定手段を設けたので、複数の暖房端末の施工時に各系統の暖房端末を他のいずれかの系統の暖房端末と連係させた運転を行わせるか連係させずに単独で運転を行わせるかの設定をすることができ、単一の制御装置で、ユーザーの要望に合わせた多様な制御を行わせることができる。また、ある一の系統の暖房端末を運転開始する際、同一居室設定手段により同一の居室に他の系統の暖房端末が設置されていると設定されている場合にのみ制御内容選択手段によって一の系統の暖房端末のホットダッシュ運転制御の制御内容が連係運転制御内容に設定されるように構成されているので、同一居室設定手段の設定に応じて「所定の条件」の判断をパスして強制的に通常のホットダッシュ運転制御を行わせることができる。また、同一居室設定手段により同一居室であると設定された他の暖房端末の運転状態が所定の状態であるか否かを「所定の条件」とすることも可能となる。また、同一居室内の複数系統の暖房端末が同時運転される場合には、後から運転開始される系統の暖房端末の運転開始時のホットダッシュ運転制御として連係運転制御内容を選択することにより、過加熱を防止して、低温やけどの発生を防止するとともに、ランニングコストを抑えることができる。さらに、ホットダッシュ設定手段を設けたので、比較的狭い部屋に暖房端末が設置されている場合や、暖房端末の上層に設置される床材の材質等によってそもそもホットダッシュ運転を行う必要がない系統については、ホットダッシュ運転制御を無効にすることができ、様々な要望に柔軟に対応できるようになる。また、温度調整手段を設けたので、ある一の系統が通常運転中に、他の系統がホットダッシュ運転されることによって熱源機から一の系統の暖房端末に供給される熱媒温度が高温になったとしても、間欠的な熱媒供給タイミングを調整することによって一の系統の暖房端末を適切な温度に維持することができる。
【００２９】
また、本発明の請求項２に係る暖房システムの制御装置によれば、同一居室設定手段を設けたので、複数の暖房端末の施工時に各系統の暖房端末を他のいずれかの系統の暖房端末と連係させた運転を行わせるか連係させずに単独で運転を行わせるかの設定をすることができ、単一の制御装置で、ユーザーの要望に合わせた多様な制御を行わせることができる。また、ある一の系統の暖房端末を運転開始する際、同一居室設定手段により同一の居室に他の系統の暖房端末が設置されていると設定されている場合にのみ制御内容選択手段によって一の系統の暖房端末のホットダッシュ運転制御の制御内容が連係運転制御内容に設定されるように構成されているので、同一居室設定手段の設定に応じて「所定の条件」の判断をパスして強制的に通常のホットダッシュ運転制御を行わせることができる。また、同一居室設定手段により同一居室であると設定された他の暖房端末の運転状態が所定の状態であるか否かを「所定の条件」とすることも可能となる。また、同一居室内の複数系統の暖房端末が同時運転される場合には、後から運転開始される系統の暖房端末の運転開始時のホットダッシュ運転制御として連係運転制御内容を選択することにより、過加熱を防止して、低温やけどの発生を防止するとともに、ランニングコストを抑えることができる。さらに、ホットダッシュ設定手段を設けたので、比較的狭い部屋に暖房端末が設置されている場合や、暖房端末の上層に設置される床材の材質等によってそもそもホットダッシュ運転を行う必要がない系統については、ホットダッシュ運転制御を無効にすることができ、様々な要望に柔軟に対応できるようになる。
【００３０】
また、本発明の請求項３に係る暖房システムの制御装置によれば、一回の予約設定で、予め設定した複数系統の暖房端末の予約運転を行わせることができ、より一層ユーザーの利便性を向上できる。
【図面の簡単な説明】
【００３１】
【図１】床暖房システムの全体ブロック図である。
【図２】本発明の第１の実施形態に係る床暖房リモコンの床暖房運転操作中の正面図である。
【図３】同リモコンの予約運転設定操作中の正面図である。
【図４】同リモコンのホットダッシュ有効／無効設定中の正面図である。
【図５】同リモコンの同一居室設定中の正面図である。
【図６】同リモコンによる各系統の床暖房端末の暖房運転制御の基本フローチャートである。
【図７】同リモコンによるホットダッシュ運転制御のフローチャートである。
【図８】同リモコンによる通常運転制御のフローチャートである。
【図９】２系統の床暖房端末が同時運転される場合の熱媒供給タイミングを示すタイムチャートである。
【図１０】本発明の第２の実施形態に係る床暖房リモコンの同一居室設定中の正面図である。
【図１１】同リモコンによるホットダッシュ運転制御のフローチャートである。
【発明を実施するための形態】
【００３２】
以下、本発明の好適な実施形態を図面に基づいて説明する。
【００３３】
図１は、本発明の第１の実施形態に係る床暖房リモコン１（暖房システムの制御装置）を用いた床暖房システムの概略を示しており、まずこの床暖房システムの構成について説明する。本実施形態の床暖房システムは、居間、寝室及び書斎の３つの部屋の床に分散配置された４系統の床暖房パネル２（暖房端末）と、これら４系統の床暖房パネル２が接続された共通の給湯装置３（熱源機）と、床暖房リモコン１（暖房制御装置）とから主構成されている。居間には系統１及び２の２つの系統の床暖房パネル２が配置され、寝室及び書斎にはそれぞれ１系統の床暖房パネル２が配置されている。また、床暖房リモコン１は居間の壁面に設置されている。
【００３４】
給湯装置３は、熱交換器及び燃焼装置から主構成される高温水供給装置４と、該高温水供給装置４から供給される所定温度（例えば８０℃）の高温水をそのまま、若しくは、低温水と混合することにより比較的低温（例えば６０℃）の低温水として往きヘッダー５から出湯する供給湯温切替装置６と、戻りヘッダー７と、燃焼装置や各種電磁弁などの制御を行う給湯制御装置８とを備えている。往きヘッダー５及び戻りヘッダー７には各系統毎に接続ポート及び電磁開閉弁あるいは熱動弁（図示せず）が設けられ、各系統の床暖房パネル２が往きヘッダー５及び戻りヘッダー７に往き路及び戻り路を介してそれぞれ接続され、供給湯温切替装置６から供給される高温水又は低温水の供給を各系統毎にオンオフすることができるように構成されている。
【００３５】
なお、図示していないが、給湯装置３は、一般給湯機能、ふろ給湯機能、ふろ追焚き機能など、従来公知の適宜の機能を備えることができる。このような給湯装置３としては、例えば本願出願人が特開２００７−１０２０９号公報に開示した温水循環式暖房機を用いることができ、その他、従来公知の適宜の給湯装置の構成を採用できる。
【００３６】
給湯制御装置８は床暖房リモコン１と電気的に接続され、床暖房リモコン１からの指令信号に基づいて給湯制御装置８は給湯装置３内の各種制御対象機器を制御する。また、給湯制御装置８は、供給湯温切替装置６から往きヘッダー５への出湯湯温情報や、温度センサからの温度情報などを床暖房リモコン１に送出するように構成されている。
【００３７】
床暖房リモコン１は、図２〜図５に示すように、前面に液晶表示装置及び各種操作ボタンが設けられ、内部にはＣＰＵ、ＲＡＭ及びＲＯＭなどの記憶手段、液晶コントローラ及び入出力コントローラなどが設けられており、記憶手段に記憶された暖房運転制御プログラムによって、図６〜図８に示すように、各系統の床暖房パネル２の運転開始初期は給湯装置３から比較的高温（例えば８０℃）の温水（熱媒）を供給するホットダッシュ運転制御を行い、その後給湯装置３から比較的低温（例えば６０℃）の温水を間欠的に供給する通常運転制御を行うように各系統毎に暖房運転制御可能に構成されている。
【００３８】
また、床暖房リモコン１は、各種操作設定画面により床暖房運転操作、予約運転設定操作、ホットダッシュ無効設定操作及び同一居室設定操作が行えるように構成されている。図２は床暖房運転操作画面を示しており、各系統毎に床暖房パネル２を運転するか否かを設定できるようになっているとともに、運転する場合には設定温度を高・中・低の３段階で設定できるようになっており、ここで設定された設定内容は記憶手段に記憶される。また、各系統１の温度センサからの検出温度信号に基づいて各系統の床面温度をメーター表示するようになっている。
【００３９】
図３は予約運転設定画面を示しており、予約運転を開始する時間と、予約運転させる系統とを設定できるようになっており、ここで設定された予約時間と各系統の設定情報は記憶手段に記憶される。そして、床暖房リモコン１の内蔵時計が設定された予約運転開始時間になると、予約運転させると設定された系統の床暖房パネル２を運転開始するように制御プログラムが構成されており、而して、かかる制御プログラムを実行するＣＰＵによって、設定された所定の時に所定の複数系統の暖房端末の暖房運転制御を開始させる共通の予約運転制御手段が実現されている。
【００４０】
図４は、各系統毎にホットダッシュ運転を有効にするか無効にするかを設定するホットダッシュ設定画面を示しており、ここで設定された各系統毎のホットダッシュ設定も記憶手段に記憶されるように制御プログラムが構成されており、かかる制御プログラムを実行するＣＰＵによりホットダッシュ設定手段が実現されている。
【００４１】
図５は、同一居室に設置される複数系統の床暖房パネル２のホットダッシュ運転を連係させるために、連係動作をさせるか否か、すなわちある特定の居室に設置された系統であるか否か設定する同一居室設定画面を示しており、ここで設定された各系統毎の同一居室設定も記憶手段に記憶されように制御プログラムが構成されており、かかる制御プログラムを実行するＣＰＵにより同一居室設定手段が実現されている。なお、図示例では、居間に設置された系統１及び２の同一居室設定を「入」に設定し、居間以外の居室に設置された系統３及び４の同一居室設定は「切」に設定している。
【００４２】
図６は、各系統の床暖房パネル２の暖房運転制御の制御フローを示しており、図２に示す床暖房運転操作画面により各系統の運転設定が「停止」から「高」「中」「低」のいずれかに切替えられることにより系統運転が開始される。系統運転が開始されると、まずステップＳ１において、当該系統のホットダッシュ設定が有効であるか無効であるかを記憶手段を参照することにより判断し、有効であればステップＳ２のホットダッシュ運転制御に制御を分岐し、無効であればステップＳ２をパスしてステップＳ３の通常運転制御に制御を分岐させる。ステップＳ２のホットダッシュ運転制御が実行された後は、ステップＳ３に移行して通常運転制御が実行され、当該系統の運転停止操作がなされると系統運転を終了する。
【００４３】
図７はホットダッシュ運転制御の制御フローを示しており、まずステップＳ４において
当該系統の同一居室設定が「入」であるか「切」であるかを判断し、「入」であればステップＳ５に分岐し、「切」であればステップＳ７に分岐する。
【００４４】
ステップＳ５では、後述するように同一居室設定がなされた系統の床暖房パネル２が通常運転中であるときはその系統に対応して記憶手段に記憶されたホットダッシュ短縮モードフラグがＯＮに設定されており、いずれかの系統のホットダッシュ短縮モードフラグがＯＮであるか否かを判断する。なお、本実施形態では全ての系統のホットダッシュ短縮モードフラグを参照しているが、居間以外の書斎や寝室に設置された系統３，４の通常運転制御においては、これら系統３，４には同一居室設定がなされていないのでホットダッシュ短縮モードフラグがＯＮになることはないため、実質的には居間に設置された系統１，２のホットダッシュ短縮モードフラグに基づく判断をステップＳ５で行っていることになる。
【００４５】
このステップＳ５でいずれかの系統のホットダッシュ短縮モードフラグがＯＮであると判定された場合はホットダッシュ短縮運転モード（連係運転制御内容）を設定するステップＳ６へ分岐し、上記フラグがいずれもＯＦＦであると判定された場合はホットダッシュ通常運転モード（単独運転制御内容）を設定するステップＳ７へ分岐する。
【００４６】
ステップＳ６では、記憶手段に記憶される目標時間変数Ｔｇに、ホットダッシュ短縮運転時間（例えば３０分）をセットする。一方、ステップＳ７では、目標時間変数Ｔｇに、ホットダッシュ通常運転時間（例えば６０分）をセットする。而して、これらステップＳ５〜Ｓ７を実行する制御プログラムによって、各系統の床暖房パネル２の運転開始初期のホットダッシュ運転制御の運転時間（制御内容）として、ホットダッシュ短縮運転時間（連係運転制御内容）とホットダッシュ通常運転時間（単独運転制御内容）のいずれかを所定の条件に基づき運転制御中に自動選択する制御内容選択手段が構成されており、該制御内容選択手段は、同一居室設定手段により同一の居室に他の系統の暖房端末が設置されていると設定されている場合にのみ前記連係運転制御内容が選択されるようになっている。
【００４７】
ステップＳ６又はステップＳ７を実行すると、次に、ステップＳ８においてタイマーＴを初期化する。なお、上記目標時間変数Ｔｇ及びタイマーＴは、各系統毎に別途設けられている。
【００４８】
次に、ステップＳ９において、当該系統のホットダッシュ運転を開始する指令信号を給湯制御装置８に送出し、該信号を受けた給湯制御装置８は、供給湯温切替装置６から供給される湯温を高温（８０℃）に制御するとともに、当該系統に対応する電磁開閉弁を開いて当該系統の床暖房パネル２への温水の供給を開始する。なお、給湯制御装置８は、複数の系統のホットダッシュ運転制御が実行されているときは、すべての系統のホットダッシュ運転が終了するまで、供給湯温切替装置６から送出される湯温を高温に維持するように構成されている。
【００４９】
次に、ステップ１０では、タイマーＴと目標時間変数Ｔｇとを比較することによってホットダッシュ運転開始から所定のホットダッシュ運転時間が経過したか否かを判断し、ホットダッシュ運転時間が経過していればステップＳ１２へ移行して当該系統のホットダッシュ運転を停止する。一方、ホットダッシュ運転時間が経過していないときは、ステップＳ１１に移行して、ホットダッシュ運転の停止要求があるか否かを判断する。かかる停止要求は、リモコン１のユーザー操作によるものであってもよいし、給湯装置内部の異常に起因して給湯制御装置８からリモコンに送出される指令信号によるものであってもよいし、また、当該系統の床暖房パネルの温度センサの検出温度に基づいてリモコン１が自ら要求するものであってもよい。このような停止要求がなければステップＳ１０に戻り、停止要求があればステップＳ１２に移行してホットダッシュ運転を停止するように構成されている。
【００５０】
ステップＳ１２では、当該系統のホットダッシュ運転を停止する指令信号を給湯制御装置８に送出し、該信号を受けた給湯制御装置８は、当該系統に対応する電磁開閉弁を閉じて当該系統の床暖房パネル２への温水の供給を一旦停止するとともに、他にホットダッシュ運転を行っている系統がなければ供給湯温切替装置６から供給される湯温を低温（６０℃）に制御する。
【００５１】
図８は、通常運転制御の制御フローを示している。
【００５２】
当該系統の通常運転制御が開始されると、まず、ステップＳ１３において、当該系統の同一居室設定が「入」に設定されているか否かを判断し、「入」であれば同一居室内に設置された他の系統が遅れて運転開始される場合のホットダッシュ運転時間を短縮制御することが可能となるように、ステップＳ１４に移行して当該系統のホットダッシュ短縮モードフラグをＯＮに設定する。なお、本実施形態ではホットダッシュ短縮モードフラグは各系統毎に個別に記憶手段に記憶するようにしているが、一つのホットダッシュ短縮モードフラグのみで制御するように構成することも可能である。
【００５３】
ステップＳ１３で同一居室設定が「切」に設定されていた場合、及び、ステップＳ１４の実行後は、ステップ１５に処理が移行して当該系統の通常運転を開始する指令信号を給湯制御装置８に送出し、該信号を受けた給湯制御装置８は通常運転を行うために必要な制御を開始する。
【００５４】
次に、ステップＳ１６でタイマーＴを初期化し、その後ステップＳ１７で供給湯温切替装置６から送出される湯温が高温であるか低温であるかを判断する。而して、かかるステップＳ１７を実行するプログラムによって、給湯装置３から供給される温水が比較的高温か比較的低温かを判定する温水温度判定手段が構成されている。
【００５５】
供給湯温が高温である場合はステップＳ１８に分岐し、高温時温水供給デューティー時間関数ｆｈ（ｔ）の値を目標時間変数Ｔｇにセットする。一方、供給湯温が低温である場合はステップＳ１９に分岐し、低温時温水供給デューティー時間関数ｆｌ（ｔ）の値を目標時間変数Ｔｇにセットする。これら関数ｆｈ（ｔ）およびｆｌ（ｔ）は、図２に示す床暖房運転操作画面で設定された当該系統の設定温度、当該系統の床暖房パネル２の温度センサの検出温度ｔなどに基づいて時々刻々と変化する状態にあわせて適切なデューティー時間を出力するものであり、高温時温水供給デューティー時間関数ｆｈ（ｔ）の値は、低温時温水供給デューティー時間関数ｆｌ（ｔ）の値よりも小さい。なお、これら関数の値が後述する制御周期時間よりも小さくなるように各関数が設定されている。
【００５６】
而して、ステップＳ１８又はＳ１９を実行する制御プログラムによって、各系統の通常運転制御中に上記温水温度判定手段の判定結果に基づいて給湯装置３からの間欠的な温水供給のデューティー比を随時自動変更する温度調整制御手段が構成されている。
【００５７】
次に、ステップＳ２０において、タイマーＴが目標時間Ｔｇを経過したか否かを判断し、経過していなければステップＳ２１において給湯制御装置８に当該系統に温水を供給させる要求信号を送出し、一方、経過していればステップＳ２２において給湯制御装置８に当該系統への温水の供給を停止させる要求信号を送出する。
【００５８】
次に、ステップＳ２３において、タイマーＴが制御周期時間（例えば２０分）を経過しているか否かを判断し、経過していればステップＳ２４に移行してタイマーＴを初期化した後ステップＳ２５へ移行し、経過していなければタイマーを初期化することなくステップＳ２５へ移行する。
【００５９】
ステップＳ２５では、通常運転停止要求が有るか否かを判断する。かかる停止要求は、リモコン１のユーザー操作によるものであってもよいし、給湯装置内部の異常に起因して給湯制御装置８からリモコンに送出される指令信号によるものであってもよいし、また、当該系統の床暖房パネルの温度センサの異常な検出温度に基づいてリモコン１が自ら要求するものであってもよい。このような停止要求がなければステップＳ１７に戻ってステップＳ１７〜ステップＳ２５を繰り返し実行するとともに、停止要求があればステップＳ２６に移行して通常運転を停止するように構成されている。
【００６０】
ステップＳ２６では当該系統の通常運転を停止させる指令信号を給湯制御装置８に送出し、該信号を受けた給湯制御装置８は当該系統に対応する電磁開閉弁を閉じて当該系統の床暖房パネル２への温水供給を停止させ、他に運転中の系統がなければ高温水供給装置４の作動も停止させるなど必要な停止制御を行うようになっている。
【００６１】
最後に、ステップＳ２７において、当該系統のホットダッシュ短縮モードフラグをＯＦＦに設定し、通常運転制御が終了する。なお、本実施形態では、ホットダッシュ短縮モードフラグは各系統が通常運転中であるか否かによってオンオフ設定したが、例えば、各系統の暖房運転制御とは無関係に室温が所定の閾値を超えるか否かによってホットダッシュ短縮モードフラグをオンオフ設定するように構成することも可能である。
【００６２】
図９は、上記実施形態において、居間に設置された系統１（一系統目）の床暖房パネル２が通常運転制御に入った後に、同じ居間に設置された系統２（二系統目）の床暖房パネル２の暖房運転が開始されたときの各系統の温水供給の状態を示すタイムチャートである。図に示すように、一系統目の運転開始初期は、同一居室内の他の系統も運転されておらず居間が冷えた状態であり、十分な暖房能力を確保するためにホットダッシュ運転が通常時間（６０分）行われ、その後通常運転制御が行われている。この通常運転制御の初期においては、温水供給温度は低温（６０℃）であるため、目標時間変数Ｔｇは低温時温水供給デューティー時間関数ｆｌ（ｔ）の値がセットされ、制御周期時間（２０分）のうち比較的長い時間低温水が供給されている。
【００６３】
二系統目の暖房運転が開始されると、その運転開始初期のホットダッシュ運転によって全ての系統への温水供給温度が高温（８０℃）となるため、一系統目の通常運転制御のステップＳ１７及びステップＳ１８によって一系統目の目標時間変数Ｔｇが高温時温水供給デューティー時間ｆｈ（ｔ）の値となる。これにより、二系統目の運転開始時点で一系統目のタイマーＴがｆｈ（ｔ）の値を超えていれば、一系統目の温水供給が次の周期時間となる迄停止されることとなる。
【００６４】
一方、二系統目の運転開始初期のホットダッシュ運転時間としては、既に一系統目の通常運転制御が実行されているため、図７のステップＳ５及びステップＳ６によりホットダッシュ短縮時間（例えば３０分）が設定され、比較的短い時間高温水の継続供給によるホットダッシュ運転が行われるようになっている。
【００６５】
図１０及び図１１は、本発明の床暖房リモコン１の第２実施形態を示しており、上記第１実施形態と同様の構成については同符号を付して詳細説明を省略し、異なる構成、作用効果について説明する。
【００６６】
本第２実施形態では、同一居室設定画面で複数（図示例では４つ）の系統１〜４を、複数（図示例では４つ）のグループのいずれに所属させるか否かを設定することによって、各系統の床暖房パネル２が同一居室に設置されているか否かを設定できるように同一居室設定手段を構成している。
【００６７】
また、ホットダッシュ運転制御においては、図１１に示すように、図７のステップＳ４の同一居室設定の有無判定を省略し、ステップＳ５において、所属グループのいずれかの系統のホットダッシュ短縮モードフラグがＯＮか否かを判定している。かかる構成であっても、同一居室に他の系統が配置されていない独立した系統（例えば、図１０の系統３及び４）は、参照される他の系統のホットダッシュ短縮モードフラグが存在しないので、ホットダッシュ短縮時間（連係運転制御内容）が選択されることがない。したがって、かかる構成とすれば、図８の通常運転制御におけるステップＳ１３を省略して通常運転制御の開始初期に必ず当該系統のホットダッシュ短縮モードフラグをＯＮに設定することも可能である。
【００６８】
本発明は上記実施形態に限定されるものではなく、適宜設計変更できる。例えば、上記実施形態では床暖房リモコン１のみにより本発明の制御装置の機能を実現したが、熱源機に内蔵される熱源機コントローラ（上記実施形態における給湯制御装置）と床暖房リモコン１により本発明の制御装置を構成してもよく、また、熱源機コントローラによって本発明の制御装置を構成してもよい。
【００６９】
また、「制御内容」とは、制御に用いるために記憶手段に記憶される上記実施形態のホットダッシュ時間のような設定値であってもよく、また、記憶手段に記憶されたプログラムによって実現される制御フローであってもよい。すなわち、上記実施形態では目標時間変数Ｔｇの設定値をホットダッシュ短縮時間とホットダッシュ通常時間のいずれかを選択することで制御内容を変更しているが、制御フローすなわち実行されるプログラムコード自体を切替えるように構成することも可能である。
【００７０】
また、上記実施形態では、暖房運転制御のうちの運転初期のホットダッシュ制御の制御内容のみを制御内容選択手段によって選択するように構成したが、通常運転制御中の制御内容を、他の系統に連係させるか単独運転させるかを切替えるものに本発明を適用することも可能である。
【符号の説明】
【００７１】
１  暖房システムの制御装置
２  暖房端末
３  熱源機
【図１】
0005811697.tif 000002
【図２】
0005811697.tif 000003
【図３】
0005811697.tif 000004
【図４】
0005811697.tif 000005
【図５】
0005811697.tif 000006
【図６】
0005811697.tif 000007
【図７】
0005811697.tif 000008
【図８】
0005811697.tif 000009
【図９】
0005811697.tif 000010
【図１０】
0005811697.tif 000011
【図１１】
0005811697.tif 000012